Podtech/llm-jp-corpus-v4-ja_patent huggingface dataset:
(57)【要約】課題  鼠をとる時、どの様な物を用いて取るか、回転式箱曲げ金物を、水をはった市販のバケツ及び水の入る物なら何でも可能の上に設置し、餌を置いて鼠が餌を引くとラッチ（カンヌキ）が外れて板が回転して鼠が水の中に落下して水死させ捕獲する事が出来る。【解決手段】  ４．水をはった市販のバケツ及び水の入る物なら何でも可能から外れない様に１，四方を下曲げした１，金物本体と２，軸を付けた回転板に餌を付け３，ラッチ（カンヌキ）で固定し、鼠が餌を引くとラッチ（カンヌキ）が外れて４，水の入った市販のバケツ及び水の入る物なら何でも可能に落下して水死させて捕る。【選択図】  図１
2005040122.tif 000002
【特許請求の範囲】
【請求項１】
４，水を入れた市販のバケツ及び水の入る物なら何でも可能の上に１．回転式金物を製作し設置  回転式鼠取り機
【請求項２】
鼠が暴れて逃げないために１，本体の四方を下曲げして４，水を入れた市販のバケツ及び水の入る物なら何でも可能から外れないようにする。  回転式鼠取り機
【請求項３】
１，回転板に３，餌を付けたラッチ（カンヌキ）を設置し、鼠が３，餌を引くとラッチ（カンヌキ）が外れて２，板が回転し４，水を入れた市販のバケツ及び水の入る物なら何でも可能に落下して水死させ捕獲する、回転式鼠取り機
【請求項４】
請求項１，２，３のいずれも鉄を鍍金、ペンキ、ビニール等で加工、ステンレスアルミ、プラスチック、木工を使用し製作、請求項１の回転式鼠取り機
【請求項５】
請求項１の１，金物を１つでは無く２連式で回転させる  ２連式回転鼠取り機
【発明の詳細な説明】
【発明に属する技術分野】
【０００１】  本発明、回転式鼠取り機は家の内外で人に迷惑を与える鼠を捕獲する物である。
【背景の技術】
【０００２】  本来は、カゴや鼠パンチヤ粘着の物で捕獲していたが後の始末が大変でした。
【発明の開示】
【０００３】  生きたままカゴで取っても、水につけて水死させて始末をしなくてはならなかった  本発明は、それを両方解決することが出来る様にする物である。
【課題を解決するための手段】
【０００４】  本発明は、鼠に対する悩みを回転式鼠取り機で鼠を捕る。  水を入れた市販のバケツ及び水の入る物なら何でも可能の本体が外れないように本体の四方を下曲げして鼠が逃げるのを防止すること。
【発明の効果】
【０００５】  本発明は、上述のように水の入った市販のバケツ及び水の入る物なら何でも可能の上に回転式金物を乗せて鼠を取り、人間が直接鼠に手を触れないで処理できる。
【発明を実施するための最良の形態】
【０００６】  水を入れた市販のバケツ及び水の入る物なら何でも可能の上に回転する金物を設置し鼠が餌を引くとラッチ（カンヌキ）が外れて回転する。  鼠が水の入った市販のバケツ及び水の入る物なら何でも可能に落下して水死させ捕獲する事が出来る。
【発明を実施するための最良の形態】
【０００７】  実施例について図面を参照にして説明する  １，は鉄を鍍金、ペンキ、ビニール等で加工、ステンレス、アルミ、プラスック木工で箱型に加工した物を、市販のバケツ及び水の入る物なら何でも可能の上に設置する。  ２，回転式金物にいかけた３，餌を鼠が引っ張ると３，が回転して４，水の入った市販のバケツ及び水の入る物なら何でも可能に落下して水死させる。
【図面の簡単な説明】
【図１】本発明の回転式鼠取り機  １  正面図である
【図２】本発明の回転式鼠取り機の１部断面図である
【図３】本発明の２連式  回転式鼠取り機正面図である
【符号の説明】
１  回転式金物四方下曲げの本体２  餌をのせて置く回転する板３  ラッチ（カンヌキ）４  市販のバケツ及び水の入る物なら何でも可能
【図１】
2005040122.tif 000003
【図２】
2005040122.tif 000004
【図３】
2005040122.tif 000005
(57)【要約】【課題】本発明は、植物栽培における季節的あるいは地域的ばらつきを極力小さくすることを課題とする。【解決手段】板状本体２に栓状植物担体４の挿入孔３を多数設け、一面を白色Ｗまたは淡色に着色し、他面を黒色Ｂまたは濃色に着色した栽培パネル１を提供する。  該栽培パネル１にあっては、日照が不足する条件下では、反射率の高い白色Ｗまたは淡色側を上にし、日照が強い条件下では、反射率の低い黒色Ｂまたは濃色側を上にする。【選択図】  図３
2005040110.tif 000002
【特許請求の範囲】
【請求項１】
板状本体に栓状植物担体の挿入孔を多数設け、一面を白色または淡色に着色し、他面を黒色または濃色に着色したことを特徴とする栽培パネル。
【請求項２】
該板状本体はポリプロピレン発泡体よりなる請求項１に記載の栽培パネル。
【発明の詳細な説明】
【技術分野】
【０００１】
本発明は主として水耕栽培に使用される栽培パネルに関するものである。
【背景技術】
【０００２】
従来から水耕栽培にあっては、例えばポリスチロール発泡体からなる板状本体に軟質ポリウレタン発泡体からなる栓状植物担体の挿入孔を多数個縦横に配列した栽培パネルが使用されている。該栽培パネルの板状本体は材料であるポリスチロール発泡体の地色である白色のものが殆どである。
【特許文献１】特開平９−２２４５０９号公報
【発明の開示】
【発明が解決しようとする課題】
【０００３】
白色の栽培パネルにあっては、太陽光の反射率が高いので、太陽光の強い夏場では反射光や反応熱によって植物に害が及ぼされる場合があるが、太陽光の弱い冬場になると、太陽光を効率良く反射して植物に充分な光や熱を供給することが出来ると云う利点が生ずる。
更に太陽光の強さは地域によっても異なり、例えば北海道と九州では太陽光の強さに可成りの差を生ずる。
結局、水耕栽培において、四季を通じてかつ全地域にわたって同品質の植物（野菜）を栽培することは困難である。
【課題を解決するための手段】
【０００４】
本発明は上記従来の課題を解決するための手段として、板状本体(2) に栓状植物担体(4) の挿入孔(3) を多数設け、一面を白色Ｗまたは淡色に着色し、他面を黒色Ｂまたは濃色に着色した栽培パネル(1) を提供するものである。
該板状本体(2) はポリプロピレン発泡体よりなることが望ましい。
【発明の効果】
【０００５】
本発明では日照条件によって栽培パネルの白色または淡色側を上にするか、あるいは黒色または濃色側を上にするので、植物に対して四季、地域によらず太陽反射光を略一様に供給することが出来、もって栽培のばらつきを極力小さくすることが出来る。
【発明を実施するための最良の形態】
【０００６】
［実施例］
本発明を図１および図２に示す一実施例によって説明すると、図に示す栽培パネル(1) は板状本体(2) に栓状植物担体(4) の挿入孔(3) を縦横に多数設けてなる。該板状本体(2) は一方の側を白色Ｗ、他方の側を黒色Ｂとされている。
上記栽培パネル(1) の板状本体(2) は、例えばポリスチレン発泡体、ポリプロピレン発泡体、ポリエチレン発泡体等の水に浮き易い軽量なプラスチック発泡体からなるが、強度の点からみるとポリプロピレン発泡体が望ましい。これらプラスチック発泡体は、通常プラスチック発泡性ビーズを予備発泡させた上で型に充填し、水蒸気を型内に吹込んで該予備発泡ビーズを本発泡させ相互融着させることによって成形される。
成形は一枚づつについて行ってもよいが、ブロックを成形して該ブロックをスライスして板状に切出してもよい。
【０００７】
着色された板状本体(2) を製造するには、通常着色ビーズを用いるが、無着色ビーズを用いて成形した板状本体(2) に塗装を施して着色してもよい。この場合塗装は板の表面のみに施してもよい。
一方の側と他方の側とが異色である板状本体(2) を製造するには、異色の板状体を別々に成形し、これを接着剤あるいは融着によって張り合わせる方法、板状本体(2) の一方の側に塗装を施す方法、板状本体(2) の両側に異色塗装を施す方法、あるいは型の両側から型内に異色ビーズ予備発泡体を充填して本発泡させる方法等が適用される。型の両側から型内に異色ビーズ予備発泡体を充填して本発泡させる方法では、境界で異色ビーズが混ざらないよう、両面離型性のあるシート、あるいは低融点シートを型内の境界に挿入し、本発泡成形後離型性シートの場合には該シートを抜き出し、更に加熱して双方を融着せしめ、低融点シートの場合には抜き出すことなくそのまゝ溶融せしめることが望ましい。
【０００８】
上記栽培パネル(1) は季節、地域等による日照条件を考慮して白色Ｗ側か黒色Ｂ側を上にして、図３に示すように軟質ポリウレタンからなる栓状担体(4) に幼植物Ｐを担持させたものを、該栽培パネル(1) の挿入孔(3) に挿入し、養液が循環している水槽(5) に浮かべて植物を栽培する。
この際、日照が不足しがちな冬場あるいは北の地域では、反射率の高い白色Ｗ側を上にし、日照が強くなる夏場あるいは南の地域では、反射率の低い黒色Ｂ側を上にしておくので、四季、地域に関わらず植物に略一定の太陽光および熱を供給することが出来る。
【０００９】
本実施例以外、本発明にあっては例えば白色Ｗに変えて淡い黄色、緑色、青色、赤色等が着色されてもよいし、黒色Ｂに変えて濃い緑色、青色等が着色されてもよい。
【産業上の利用可能性】
【００１０】
本発明の栽培パネルは水耕栽培によって野菜等の植物を栽培するのに使用される。
本発明の栽培パネルを使用すれば、植物に対して四季、地域に関わらず太陽反射光を略一様に供給することが出来、もって栽培のばらつきを極力小さくすることが出来、品質一定の植物（野菜）を供給することが出来る。
【図面の簡単な説明】
【００１１】
図１、図２は本発明の一実施例を示すものである。
【図１】栽培パネル斜視図（白色側）
【図２】栽培パネル斜視図（黒色側）
【図３】水耕栽培説明図
【符号の説明】
【００１２】
1           栽培パネル
2           板状本体
3           挿入孔
4           栓状担体
Ｗ          白色
Ｂ          黒色
【図１】
2005040110.tif 000003
【図２】
2005040110.tif 000004
【図３】
2005040110.tif 000005
(57)【要約】【課題】病院、施設、自宅等に置いて、点滴を行う時に薬液の皮下漏れ、抜針、チューブ抜けを早期に発見し、警報を発することで、患者への負担、影響が出ないようにする。【解決手段】本発明は、点滴針の近くに三方活栓を入れ、圧力センサーを接続し、点滴針近くで点滴薬液の圧力を測定することで、正常状態、異常状態を検出し、異常状態の時には、警報を発する。異常状態とは、点滴液漏れ状態、抜針状態、チューブ抜け状態、点滴針先つまり状態などのことである。【選択図】        図１
2005278766.tif 000002
【特許請求の範囲】
【請求項１】
点滴針の近くに三方活栓を入れ、圧力センサーを接続し、点滴針近くで薬液にかかる圧力を測定することで、点滴状態を監視する方法。
【請求項２】
請求項1の方法で測定した圧力から正常状態、点滴液漏れ状態、抜針状態、チューブ抜け、点滴針つまり状態などを検出する点滴状態を監視する方法。
【発明の詳細な説明】
【技術分野】
【０００１】
本発明は、病院、養護老人施設、介護施設等の各種施設、又は在宅などにおいて使用され、点滴時の状態をモニタリングする方法に関するものである。
【０００２】
本発明の点滴状態を監視する手法は、点滴中に姿勢を変換するなどした際に、誤って、点滴針が動き、点滴液漏れ、抜針、チューブ抜け、点滴針つまりの状態になったことを検出し、リアルタイムで警報を発する。
【背景技術】
【０００３】
従来の点滴監視装置では、主に点滴終了や点滴速度を監視する目的で考案されていた（例えば、特許文献1,特許文献2,特許文献3参照）。点滴筒の滴下状態を検出し、点滴液漏れ、抜針の検出をする装置もある（例えば、特許文献4参照）。
【０００４】
【特許文献１】特開2000−116770号公報
【特許文献２】特開平2001−259026号公報
【特許文献３】特開平9−299479号公報
【特許文献４】特開2002−191692号公報
【発明の開示】
【発明が解決しようとする課題】
【０００５】
点滴液の終了検出では、点滴液漏れ、抜針、チューブ抜け、点滴針つまりの検出はできない。また、点滴筒の滴下速度を検出する方法では、点滴液漏れの検出に時間がかかる。あわせて、点滴ポンプなど動力を使用して点滴の制御をしているときは、点滴液漏れ、抜針、点滴針つまり等を検出することが難しい。
【０００６】
以上今までのシステムでは、確実な点滴液漏れ、抜針、点滴針つまりの検出ができない。
【０００７】
本発明は、上記の従来の課題を克服し、点滴時の点滴液漏れ、抜針、チューブ抜け、点滴針つまりを早期に検出することで、患者の負担を軽減することを目的とするものである。
【課題を解決するための手段】
【０００８】
本発明は、点滴時に点滴針の近くに三方活栓を接続し、圧力センサーを取り付けることにより、点滴針近傍での点滴液の圧力を測定し、測定された圧力から、点滴の状態を検出する手法である。点滴の状態とは、正常状態、点滴液漏れ状態、抜針状態、チューブ抜け状態、点滴針つまり状態のことである。
【０００９】
本発明は、点滴針の近くで圧力を測定することで、点滴の状態を判定する。一定の圧力がかかっている時は正常状態と判断し、正常より高い圧力がかかっている時は点滴液漏れ、点滴針つまり状態、圧力がほとんどかからない時は抜針、チューブ抜け状態と判定する。
【００１０】
以上のように、本発明は、早期に、確実に点滴状態を判定し、異常状態の通報が可能になる。
【発明の効果】
【００１１】
本発明の点滴状態を監視する手法は、信頼性が高い、点滴状態の検出を可能とした。
【００１２】
本システムでは、点滴針近くの圧力を測定することで、点滴の正常状態、点滴液漏れ状態、抜針状態、チューブ抜け状態、点滴針つまり状態の検出を可能にした。
【００１３】
本システムは点滴中に姿勢を変換するなどした際に、誤って点滴針が動き、点滴液漏れ、抜針、チューブ抜け、点滴針つまりの状態になったことを検出し、リアルタイムで警報を発することにより、患者の負担軽減、安全確保を可能にした。
【発明を実施するための最良の形態】
【００１４】
以下、本発明の実施の形態として一実施例を図を用いて説明する。
【００１５】
図1に点滴路と圧力センサーの接続例を示す。点滴針１の近くに三方活栓２を接続し、圧力センサー３を接続する。圧力センサーの接続位置を点滴針に近づけることで、早期に点滴状態を検出することができる。
【００１６】
正常に点滴が行なわれているときは、血管内に点滴液は送り込まれるため、圧力センサー３に血圧とほぼ同じ圧力が検出される。
【００１７】
点滴液漏れの時は、点滴液がほとんど流れないため点滴筒５の液面の高さと点滴針１の高さの差が圧力として検出されるため、圧力センサー３で正常時より高い圧力が検出される。
【００１８】
抜針の時は、点滴液がそのまま点滴針1から流れ出すため大気圧と同じ圧力となり、圧力センサーでほぼ圧力0が検出される。
【００１９】
チューブ４抜けの時は、圧力センサー３に点滴液が供給されないので点滴液の圧力は検出できないが、血管から点滴針１を通して血液が送られ、そのまま流れ出すため大気圧と同じ圧力となり、圧力センサーでほぼ圧力0が検出される。
【００２０】
点滴針１つまりのときは、点滴液がほとんど流れないため点滴筒５の液面の高さと点滴針１の高さの差が圧力として検出されるため、圧力センサー３で正常時より高い圧力が検出される。
【図面の簡単な説明】
【００２１】
【図１】点滴路と圧力センサーの接続図
【符号の説明】
【００２２】
1 点滴針
2 三方活栓
3 圧力センサー
4 チューブ
5 点滴筒
【図１】
2005278766.tif 000003
(57)【要約】    【課題】  バッグのショルダーベルト等は、バッグ本体に直接縫いつけられているか、ベルトの両端がバッグ本体に接続するための接続部材が取り付けられており、ベルト先端部を挿通せずに止具を着脱することは容易なことでない。  このような不具合を無くし、ベルト適宜箇所にて簡単に着脱でき、さらに装飾品等が取り付けられる機能を持った止具を提供する。    【解決手段】  適宜箇所で波状としたベルト天井部分を環状部材の挿通口下方向から貫通し、双方の空間部より受け軸を環状部材に設けられた軸受口に取り付ける事により、ベルトの先端から貫通することなく、ベルトに止具を固定することができる。  また環状部材の辺間に穴をあける事により、紐、ワイヤー等を貫通し装飾品等の取り付けを可能とする。【選択図】              図１
2005278735.tif 000002
【特許請求の範囲】
【請求項１】
波状としたベルト天井部分の挿通口３を有する環状部材１と、環状部材の対向する辺間に設けた軸受口４、５は一直線上に位置させ、波状となったベルト天井部分を挿通口３に挿通後、ベルト天井部分と環状部材１との空間から軸２を軸受口４、５に挿入する事により、ベルトに取り付けられることを特徴とした止具。
【請求項２】
環状部材１の辺間に穴６をあけ、紐、ワイヤー等を貫通できることを特徴とした請求項１記載の止具。
【発明の詳細な説明】
【技術分野】
【０００１】
本発明は、ベルトに止具を取り付けの際、ベルトの先端部を止具の挿通口より貫通することなく、ベルトへの着脱を簡単に可能とし、また止具を利用して装飾品等の取り付けを可能とするものである。
【背景技術】
【０００２】
従来の止具は、中央軸によりベルト挿通口を二分する「日」状のものが多く、ベルトの先端を挿通口に通し、中央片と左右片の上下を挿通する事により波状を形成した上で止着するなど、ベルト先端を挿通することなく止着可能な止具は数少ない。
【０００３】
これの改善策として、上部、下部別々の環状部材を連結することにより紐類を係止可能としたもの。    （例えば、特許文献１参照。）
【０００４】
扁平版の上下に左右反対方向に開口を設け、さらに中央部も左右反対方向に開口を設けることで、ブラジャーの肩紐とスリップの肩紐とを着脱自在に止着可能としたもの。    （例えば、特許文献２参照。）
【０００５】
環状部材のベルト挿通口内に二辺の軸受孔を設け、片側より軸を貫通したうえでネジにより環状部材に固定可能としたバックルなどがある。    （例えば、特許文献３参照。）
【特許文献１】実開昭３９−１０６２７(第１頁、第１−５図)
【特許文献２】実開昭３７−１４３１７(第１頁、第１図)
【特許文献３】特開平１０−２９５４１３(第３−５頁、第５図)
【発明の開示】
【発明が解決しようとする課題】
【０００６】
ショルダーバッグの場合、ベルトに関しては直接バッグ本体に縫いつけられているものと、ベルトの両端に接続部材が装着されているものと二分される。何れにしても上記加工後は、止具をベルトに取り付けるにはベルト先端部を止具に挿通する方法では不可能である。本発明はこの様な不都合を解消するものである。
【０００７】
さらに女性のあいだでは自身で工夫を凝らし、バッグ本体にキャラクターグッズなどを取り付け、ファッションとして楽しんでいる様子を見かけるが、ベルトに取り付けている人はいない。自身を主張したい若い世代が多い中、今まで使用していないベルトでのファッションの可能性を提案するものである。
【課題を解決するための手段】
【０００８】
ベルト適宜箇所に簡単に止具を取り付け可能とするため、止具の環状部材は「口」状とし、中央軸を装着後は「日」状となるように中央部の軸を着脱可能とする。環状部材の辺間に中央部の軸を着脱できるように、軸受口を設けた上で中央部の軸と環状部材を分離するものである。
【０００９】
さらに、紐の付いた装飾品が取り付けられるようにするため、環状部材の辺間に穴を開け、装飾品を取り付ける際は装飾品の紐等を穴に貫通し、結び目を付けるなどして装飾品等の接続を可能とした。
【発明の効果】
【００１０】
ベルト縫着工程では、図５の如くベルト先端部を重ね折りし環状部材を付けないまま縫着するだけであって、環状部材が邪魔にならないので、作業自体が容易になり、さらに縫着工程の能率を向上させることができる。
【実施例１】
【００１１】
本発明は環状部材１の上方向より軸２を着脱可能としたものである。軸受口４、５に挿入後、抜け落ちないようにするため、図３の如く軸２の両端に対し切り込みを入れ、軸受口４、５も軸２の切り込み部分にそって挿入できるように同様の切り込みを施す。さらに挿入後の軸２を回転することにより軸受口４、５から抜け落ちることがない。
【実施例２】
【００１２】
本発明は当出願人が出願中の、特願２００３−１２９５４のギャザーベルト装置のベルトへの接続部材として利用できる。当装置より露出した紐を本発明の環状部材１に接続させるため、外方向より穴６を貫通したうえで結び目を付ける。その紐を接続状態のままベルトの適宜箇所にてベルトを波状とし、その天井部を環状部材１の挿通口３に下方向より挿通する。そのうえで天井部と環状部材１の空間より軸２を軸受口４、５に挿入しベルトに固定する。
【実施例３】
【００１３】
ベルトの片端はバッグ接続部材を付けたまま従来通りの方法で縫着した後、もう一方の片端は図５の如くベルト先端部を重ね折りし、バッグ接続部材を付けない状態で軸貫通筒部を縫着する。後者にて縫着した方の片端よりスライド可能なバッグ接続部材をベルトに挿通する。その後図６のように軸貫通筒部を空洞化した後、軸２を挿入する。実施例２の如く適宜箇所にてベルトを波状とし、その天井部を環状部材１の挿通口３の下方向から挿通後、ベルトの天井部と環状部材１の空間よりベルト先端の軸貫通筒部に軸２が挿入された状態で軸２を軸受口４、５に挿入する。これによりベルトの長さ調整が可能となる。
【産業上の利用可能性】
【００１４】
軸貫通筒部を縫着するに当たり、前もって止具に取り付けておく必要がなく、図５の如くベルト先端部を重ね折り、縫着工程が簡素化されるため、工賃の減少が見込まれる。
【図面の簡単な説明】
【００１５】
【図１】環状部材と軸の斜視図である。
【図２】軸受口の拡大斜視図である。
【図３】（ａ）軸の片端の正面図  （ｂ）は（ａ）の側面図
【図４】環状部材にベルトの波状となった天井部を貫通し、軸２をベルトと環状部材の空間に位置した正面図である。
【図５】ベルト先端部を折り重ね縫着した図である。
【図６】縫着したベルト先端部の軸貫通筒部を形成した図である。
【符号の説明】
【００１６】
１  環状部材
２  軸
３  挿通口
４  軸受口
５  軸受口
６  穴
７  ベルト
８  縫い目
【図１】
2005278735.tif 000003
【図２】
2005278735.tif 000004
【図３】
2005278735.tif 000005
【図４】
2005278735.tif 000006
【図５】
2005278735.tif 000007
【図６】
2005278735.tif 000008
(57)【要約】 【課題】マニキュアを自分で塗布する際に塗布される側の指を塗りやすい位置に楽に安定させ、かつ塗布時に発生する有害な揮発性ガスを拡散または塗布者が吸引することなく除去する。【解決手段】指にフィットするように指の形状に合わせたくぼみを有した支持台を設け、内部に揮発性ガスを除去する為のフィルタと吸引装置を設け、上記くぼみの先端部周辺に空気流入口を設け、支持台の底面または側面に排気口を設けた構造の空気清浄機能付マニキュア塗布用補助具。【選択図】  図１
2005278752.tif 000002
【特許請求の範囲】
【請求項１】
マニキュアを塗布する際に塗布される手を置く補助具において、補助具の内部が空洞であって、塗布される指の爪を置く位置近傍に空気流入口を設け」、底面または側面に排気口を設け、上記補助具内部にマニキュアから揮発するガスを除去可能なフィルタと吸引装置とを具備し、マニキュア塗布時に発生する揮発性ガスを吸引し除去するマニキュア塗布用補助具。
【発明の詳細な説明】
【技術分野】
【０００１】
マニキュアを快適に塗布するための技術である。具体的には、マニキュアを安定して塗布することを補助すると共に塗布時に発生する有害な揮発性ガスを除去する技術である。
【背景技術】
【０００２】
女性のたしなみとして、爪にマニキュアを塗布する女性が近年増加している。特に手の爪は普段から人目に触れるため、塗りむらや塗り残しの無いように注意深く塗布する必要がある。また、最近は単に色をつけるだけではなく細かい装飾を施したデザインを楽しむ女性も増えており、さらに繊細な塗布作業が要求される。
【０００３】
このような繊細な塗布作業が要求されるため、安定して塗布することを補助する装置として、特許文献１が考案されている。
【特許文献１】実開平６−６２９０８
【０００４】
また、シックハウス症候群に代表されるように、ホルムアルデヒド・トルエンなどの有害な揮発性ガスを吸うことにより体調を崩す人も多い。これらの人は、おしゃれとしてマニキュアを楽しみたいが塗布時の揮発性ガスの臭いが苦手でマニキュアができない人もいる。マニキュアにはアセトンなどの溶剤が含まれており、アセトンは石油化学工業会のＭＳＤＳによると、目の刺激性や中枢神経への影響が指摘されている。単純には、空気清浄機などで揮発したガスを除去すればよいと考えられるが、塗布作業は細かい作業であり、顔を近づけて作業するため空気清浄機が有害な揮発性ガスを除去する前に人が吸い込んでしまう問題がある。このような問題に対して有害な揮発性ガスが部屋中に拡散または塗布者が吸い込む前に除去する装置は提案されていない。
【発明の開示】
【発明が解決しようとする課題】
【０００５】
前述したように、本技術分野においては自分で塗布する際に塗りやすくすることと塗布時に発生する有害な揮発性ガスを人が吸い込む前に除去するという２つの課題がある。
【０００６】
まず、塗りやすくするということについては実用新案文献１に示されるような支持台を用いることによりある程度解決される。
【０００７】
次に、塗布時に発生する有害な揮発性ガスの除去については、人が吸い込んだり拡散する前に除去するためには、塗布面である爪のできるだけ近くでガスを除去したいという課題がある。
【課題を解決するための手段】
【０００８】
まず、塗りやすくするという課題に対して、指にフィットするように指の形状に合わせたくぼみを有した支持台を用いる。さらに、発生した有害な揮発性ガスを除去する為に、この支持台の内部を空洞とし、先に記した指の形状に合わせたくぼみの先端付近に空気の流入口として開口部を設け、台の底面または側面に空気の排出口として開口部を設ける。さらに、内部には、マニキュアから揮発するガスを除去するフィルタと揮発したガスを吸引する為の吸引装置を具備する。吸引装置を回転させるとくぼみ周辺に設けた開口部から空気が吸入されるような構造とし、吸入された空気は、前述のガスを除去するフィルタを通り、ガスが除去され清浄な空気が底面または側面に設けられた開口部から排気されるような構造を有した支持台。
【発明の効果】
【０００９】
本発明によれば、塗布される指を安定させることがでる。さらに、塗布される場所の近傍から空気と共に揮発した有害ガスが吸い込まれる為空気中に拡散する前に効率的に除去することができる。
【発明を実施するための最良の形態】
【００１０】
次に、本発明の一実施の形態について説明する。図１は本発明である補助具１を上から見た図である。本補助具１の上面の中央付近に指の形状に合わせてくぼみ４０を施している。さらに、先端付近には空気の流入口３０を設けている。
【００１１】
図２に図1のＡ断面を示す。本補助具１の内部に吸入した揮発性ガスを除去する為のフィルタ１０を具備しており、その後段に吸引装置としてのファン２０を具備している。このフィルタ１０には活性炭などの吸着剤を用いることによりアセトンなどの揮発性ガスを吸着することが可能である。ファン２０を駆動することで上面に設けた流入口３０から空気が流入し、その流入空気６５と共に爪に塗布されたマニキュアから揮発するガス６０が内部に流入する。流入した空気６５は、フィルタ１０を通り排気口８０から排気される。この時、流入空気６５と共に流入した揮発性ガス６０は、フィルタ１０により除去され、排気空気７０は清浄空気となる。
【００１２】
図３は図1のＢ断面である。揮発性ガス６０が流入口３０の爪の両脇の部分から流入する様子を示す。
【００１３】
図２、図３では、指一本分のくぼみと空気流入口を設けていないが、五指全てに向けたくぼみ及びその周辺に空気流入口を設けても良い。また、図示しないが側面にマニキュア瓶などを保管する引き出しを設け補助具の内部の空間を有効に利用することも考えられる。
【産業上の利用可能性】
【００１４】
以上説明した様に、本発明によれば、マニキュアを施す時に塗布される手を楽に安定させることができ塗布しやすくなると共に、塗布されたマニキュアから揮発する有害ガスを拡散させることなく本補助具が吸入し除去することができ快適なマニキュア塗布作業を楽しむことができる。
【図面の簡単な説明】
【００１５】
【図１】空気清浄機能付マニキュア塗布用補助具の上面図である。
【図２】空気清浄機能付マニキュア塗布用補助具の断面図である。
【図３】空気清浄機能付マニキュア塗布用補助具の断面図である。
【符号の説明】
【００１６】
１  空気清浄機能付マニキュア塗布用補助具
１０  フィルタ
２０  ファン
３０  流入口
４０  くぼみ
５０  指
６０  揮発したガスの流れ
６５  流入空気
７０  排気空気
８０  排気口
【図１】
2005278752.tif 000003
【図２】
2005278752.tif 000004
【図３】
2005278752.tif 000005
(57)【要約】【課題】就寝者の頭付近を暖かく保つための安眠補助具を提供すること。【解決手段】安眠補助具１は、円弧状の板状の包囲体２と、その脚部３から成る。脚部３の接地部３ｂは敷布団１０の枕頭下部に差し込まれ、枕１１で押えつけられ、その状態で、就寝者Ｐの頭の周囲は包囲体２で半包囲される。したがって頭付近を通るすきま風などの寒気は略々遮断され、掛布団１２から露出する頭付近は暖かく保たれる。【選択図】図３
2005278799.tif 000002
【特許請求の範囲】
【請求項１】
就寝者の枕上の頭を半包囲する包囲体と、包囲体の脚部とから成ることを特徴とする安眠補助具。
【発明の詳細な説明】
【技術分野】
【０００１】
本発明は、布団に寝ている人の枕上の頭を寒気から守り、暖かく保つための安眠補助具に関するものである。
【背景技術】
【０００２】
特に冬期には、寝室内にはすきま風が吹くなどするため、就寝中に掛布団の外にある枕上の頭の周囲は冷えやすい。このため、頭は冷やされ、殊に風邪患者にはつらいものである。
【発明の開示】
【発明が解決しようとする課題】
【０００３】
そこで本発明は、就寝者の頭付近を寒気から守り、暖かく保つための安眠補助具を提供することを目的とする。
【課題を解決するための手段】
【０００４】
本発明の安眠補助具は、就寝者の枕上の頭を半包囲する包囲体と、包囲体の脚部とから成る。
【発明の効果】
【０００５】
本発明によれば、就寝者の枕上の頭の周囲を包囲体で半包囲することにより、すきま風などの寒気から頭を守り、頭付近を暖かく保つことができる。
【発明を実施するための最良の形態】
【０００６】
図１は安眠補助具の斜視図、図２は就寝者の側面図、図３は就寝者の平面図である。
【０００７】
図１において、安眠補助具１は、円弧状の板状の包囲体２と、その脚部３から成っている。脚部３は、起立部３ａと水平な接地部３ｂから成っている。
【０００８】
図２および図３において、就寝者Ｐは敷布団１０上の枕１１上に頭を載せ、掛布団１２をかけて就寝している。なお本発明では、敷布団とは畳上の布団だけでなく、ベッド上の布団も含む。
【０００９】
接地部３ｂは敷布団１０の枕頭下部に差し込まれ、枕１１で押えつけられている。その状態で、就寝者Ｐの頭の周囲は包囲体２で半包囲されている。また好ましくは、包囲体２上にはタオルなどのシーツ４が被せられている。したがって頭付近を通るすきま風などの寒気は略々遮断され、掛布団１２から露出する頭付近は暖かく保たれる。
【産業上の利用可能性】
【００１０】
本発明の就寝補助具は、就寝者の枕上の頭を半包囲する包囲体と、包囲体の脚部とから成るので、就寝者の頭付近を通るすきま風などの寒気は略々遮断され、掛布団から露出する頭付近は暖かく保たれ、特に風邪患者の防寒就寝補助具として有用である。
【図面の簡単な説明】
【００１１】
【図１】安眠補助具の斜視図
【図２】就寝者の側面図
【図３】就寝者の平面図
【符号の説明】
【００１２】
１  安眠補助具
２  包囲体
３  脚部
【図１】
2005278799.tif 000003
【図２】
2005278799.tif 000004
【図３】
2005278799.tif 000005
(57)【要約】【課題】高齢者やハンディキャップを持つ人が使用する、車いすの座面前後奥行き調整を、簡単容易にすることを課題とする。【解決手段】従来は、座面奥行き長さの異なるクロスメンバーの交換で座面前後奥行き調整を行っていた。本案は、フレームに対して背もたれと一体の後輪車軸ブラケット位置をスライドさせ、必要な位置で固定し、同時に、クロスメンバーに設けた座面調整パイプの前後位置をスライドさせ固定する、座面は裏側に折り曲げ収納してあるものを適宜伸縮することで上記課題を解決した。【選択図】    図２
2005278730.tif 000002
【特許請求の範囲】
【請求項１】
車いすの座面を、使用者に合わせ前後に伸縮させて調整する方法において、フットレスト及びまたは座面先端位置に対する座面後端位置での伸縮を可能にしたことを特徴とする、車いす。
【請求項２】
座面後端位置の伸縮は、背もたれと一体の後輪車軸を前後に移動すると共に、座面部材後部を座面の下部へ折り返して前後奥行きを可変にしたことを特徴とする、請求項１の車いす。
【発明の詳細な説明】
【技術分野】
【０００１】
本発明は、高齢者やハンディキャップを持つ人が使用する、車いすの座面の前後奥行き調整に関するものである。
車いすを使用する人の体格に合わせて、座面奥行きを変えることは一般的であり、身長の高い人が使用する位置を基準に、身長の低い人用には、ステップに対して後ろ側に座面奥行きを減少させて対応している。
【背景技術】
【０００２】
図1は車いすの従来例である。図１の右側の図は身長の高い人用に前後奥行きの最も大きい座面とクロスメンバーを取り付けた側面図、左側の図は身長の低い人用に前後奥行きを最も小さい座面とクロスメンバーを取り付けた側面図である。１は最も前後奥行きの小さい座面で、２のクロスメンバーと一体になっている、３は背もたれ、４はフットレストである。５は最も前後奥行きの大きい座面で、６のクロスメンバーと一体なのは、他の中間の幾つか用意される座面用クロスメンバーと同様である、中間のものはここでは表示しない。
座面を交換してもステップ位置４と背もたれ３又は後車輪８の位置は変わらないため、使用者が適正な姿勢を保てない他、前後輪へ掛かる荷重割合が使用者によって変化してしまう等のため、走行安定性が犠牲になることがある。
また、使用者の体格に合わせて後車輪軸を前後に移動する考案は、特開平８−２２９０７５にあるが座面の前後奥行きを伸縮するものではない。
【特許文献１】特開平８−２２９０７５
【発明の開示】
【発明が解決しようとする課題】
【０００３】
問題点は、座面奥行き位置の変更をクロスメンバーの交換で行うことにあり、車いすの使用者が変わるたびにクロスメンバーを交換することが必要であり、使用者に合わせてクロスメンバーを数種類用意しなければならず、交換にも時間が掛かり、古いクロスメンバーは在庫になってしまうことなどの点である。
更に、使用者の体格によって座面先端とステップとの位置が変わるため、身長の低い人はひざの曲がりが少なく、足を投げ出す形になり、身長の高い人はひざの曲がりは大きく曲げなければならないなど、誰にも満足する調整ができるとは言えない。
解決しようとする課題は、車いすの使用者に座面を合わせる時、クロスメンバーなど交換のために用意する部品をなくし、部品代の節約をすること及び作業時間の短縮による車いす使用者へのサービスの迅速化と工賃の節約をすることである。
【課題を解決するための手段】
【０００４】
車いすの使用者に合わせた座面奥行きの伸縮に、部品交換でなくクランプによる無段階調整方式にすることを主要な特徴とする。即ち、図2では、フレーム１７後部のパイプに背もたれと一体の後輪車軸ブラケット１９を後車輪と共にスライドさせ、使用者に合うところでクランプ２０をボルト２１で締め付け固定する、それに合わせて座面調整用パイプ１４の調整穴１８とクロスメンバー１６の調整穴を選択、ボルトで固定する。座面１５は調整代を持たせて座席後端から裏側に回り込ませてあるものを、適宜伸縮させマジックテープ等で止める。
【発明の効果】
【０００５】
車いすを使用する人に合わせて車いす座面の前後位置を後車輪と共に移動し、クランプで固定するようにしたことで、微調整が可能で乗車位置が適切となり、走行安定性を劣化させることがなくなる。また、クロスメンバーなどの余分な部品の準備も不要になり、分解する必要もなく調整時間も短縮できることで車いす使用者へのサービスの迅速化と大幅な費用の削減が期待できる。
【発明を実施するための最良の形態】
【０００６】
本案の最も効果的な形態は、レンタル用車いすの場合で、使用者が変わるたびにシート位置の調整をする場合である。
本案により、使用者を待たせることなく、迅速に車いすを提供することが出来る。
【実施例１】
【０００７】
本発明の実施例を図２及び図３に示す。使用者に合わせた座面位置の奥行き調整方法は、１７のフレーム後部のパイプに、１３の背もたれと一体の後輪車軸ブラケット１９を後輪車軸と共に前後にスライドさせ、クランプ２０をボルト２１で締め付け固定する。クロスメンバー１６の座面調整パイプ１４の出入りは１８の調整穴に入れるボルトで位置を決め、座面１５の折りたたみ量を変えることで完了する。図２の右図は使用者の身長が高い人の場合で、背もたれと後車軸を後ろに移動したもので、同時にクロスメンバーの座面調整部分を延し、座面下部へ折り曲げて収納している座面１５を繰り出す、左の図は身長が低い人用に後輪車軸ブラケットを前に移動した図である。調整作業は上記の通りである。本案は４のステップから座面前端までの距離も従来例のように変化してしまうことは無く何時も一定である。
【産業上の利用可能性】
【０００８】
本発明の利用可能性として、簡単な操作で車いすの座面奥行き調整をすることができるため、レンタル用の他、不特定多数の人が利用する、病院、店舗、飛行場、等において安全快適に車いすの利用ができるようになる。
【図面の簡単な説明】
【０００９】
【図１】従来の車いすを示した説明図である。
【図２】本発明の車いすを示した説明図である。（実施例１）
【図３】本発明の後車軸位置調整部の詳細図（図２のＰ矢視図）である
【符号の説明】
【００１０】
１    前後奥行きの小さい座面
２    前後奥行きの小さいクロスメンバー
３    背もたれ
４    ステップ
５    前後奥行きの大きい座面
６    前後奥行きの大きいクロスメンバー
１３    背もたれ
１４    座面調整パイプ
１５    座面
１６    クロスメンバー
１７    フレーム
１８    座面前後調整穴
１９    後輪車軸ブラケット
２０    クランプ
２１    クランプ固定ボルト
【図１】
2005278730.tif 000003
【図２】
2005278730.tif 000004
【図３】
2005278730.tif 000005
(57)【要約】【課題】      炒飯等の炒めものに簡便に卵風味および焦げ風味を付与し得る調味料を提供する。【解決手段】  卵黄を食用油と混合して乳化状態とし、１８０〜２３０℃で焦げ臭が発生するまで加熱処理を施したことを特徴とする卵風味および焦げ風味を有する調味料。【特許請求の範囲】
【請求項１】
卵黄を食用油と混合して乳化状態とし、１８０〜２３０℃で焦げ臭が発生するまで加熱処理を施したことを特徴とする卵風味および焦げ風味を有する調味料。
【請求項２】
加熱処理を施した後、粉砕してペースト状に形成した請求項１記載の卵風味および焦げ風味を有する調味料。
【請求項３】
食用油に対する卵黄の混合割合が重量比で４０〜６０％である請求項１又は２記載の卵風味および焦げ風味を有する調味料。
【発明の詳細な説明】
【技術分野】
【０００１】
本発明は、卵風味および焦げ風味を有する調味料に関し、さらに詳しくは、卵黄を食用油と混合して乳化状態とし、１８０〜２３０℃で焦げ臭が発生するまで加熱処理を施してなる卵風味および炒め風味を有する調味料に関する。
【背景技術】
【０００２】
従来、食品例えば炒飯では炒飯らしい炒め感を呈する具材の焦げ臭や、卵やネギ等の具材の風味を補い、保存中の劣化を防ぐ方策として種々の方法が提案されている、例えば卵の香りを強化するために、卵黄固形分、無脂乳固形分、水を含有する組成物を油脂中で加熱した後、不溶解物を分離した卵の風味を有する調味油が提案されている(例えば、特許文献１参照)。これを炒飯に添加することで、卵風味の強化を図ることが可能であるが、不溶解物の分離工程が必要なため、歩留まりの低下は避けられない上に、加熱温度に関しては、焦げ臭が発生しないように９０℃以上１５０℃以下と規定されていることから、焦げ風味を付与しようとするものではない。
【０００３】
また、食用油に焦げ臭を付与するために、食用油に焦がした乾燥野菜や乾燥香辛料を入れ、風味を抽出するか、食用油に乾燥野菜や乾燥香辛料を入れて加熱し、乾燥品を焦がして、油中に風味を抽出する方法が提案されている(例えば、特許文献２参照)。この方法によると、具材として卵黄を同時に配合することによって卵風味や焦げ風味を呈することが可能となるが、この場合も抽出操作により不溶解性物質の分離工程が必要なため、歩留まりの低下は避けられない。
【０００４】
【特許文献１】特開２００３−２１０１０８号公報
【特許文献２】特開平７−３９３３７号公報
【発明の開示】
【発明が解決しようとする課題】
【０００５】
本発明の目的は、食品例えば炒飯に付与することにより、卵風味や炒め感を呈する焦げ風味を補い、且つ分離工程を伴わないため、効率よく製造可能な調味料を提供することにある。
【課題を解決するための手段】
【０００６】
本発明によれば、卵黄を食用油と混合して乳化状態とし、１８０〜２３０℃で焦げ臭が発生するまで加熱処理を施し、さらに必要に応じて粉砕処理を施してペースト状とすることによって上記目的が達成される。
【発明の効果】
【０００７】
本発明により以下の効果が期待される。
（１）本発明の調味料は焦げた煎り卵粉末を含有することから、これを炒飯等の炒めものに配合することで、卵の風味に加え焦げ風味の強化が可能である。
（２）加熱処理後、必要に応じてペースト状になるまで粉砕処理を施すことで、本発明の調味料それ自体は食感が滑らかであり、従って配合する炒めものの食感に悪影響を与えることなく、風味良好な炒めものを調製することができる。
【発明を実施するための最良の形態】
【０００８】
以下、本発明について詳細に説明する。
本発明において使用される食用油としては、一般に使用されるものでよく、例えば、大豆油、菜種油、ゴマ油、オリーブ油、ひまわり油等の液状油及びその加工油脂が挙げられ、常温で液体、半固体、固体のいずれでもよいが、卵黄が凝固する７０℃以下の融点を持つ油脂を用いることができる。卵黄を食用油に対して重量比で４０〜６０％の割合で混合する。卵黄中のレシチンの乳化作用によって卵黄は食用油中に均一に乳化し、形成したエマルションは焦げ臭が発生するまで加熱処理される。
【０００９】
本発明の調味料を調製する一実施態様を例示すると、次のとおりである。
（１）卵黄と食用油を所定割合で配合し、これをミキサー等で混合する。混ぜる順序（卵黄−油又は油―卵黄）および混合方法は特に問わない。
（２）攪拌混合が自動的に行え、加熱調理が可能な食品機械、例えば直火釜に混合液を投じ、加熱を開始する。
（３）加熱と同時に攪拌羽根を回転させ、温度が１８０〜２３０℃程度になるまで加熱する。
（４）加熱温度が上記範囲に到達してからは、温度制御を行いこの温度範囲に保持しながら焦げ臭が発生するまで加熱する。
（５）加熱処理された卵黄と食用油の混合液は、乳化されたまま１〜２ｍｍ程度の結晶となった卵黄の結晶と、卵の風味を呈する油の混合液となっている。
（６）結晶状態となった卵黄は硬く、この粒度のままで炒飯に添加するとザラツキ感がでるため食感に悪影響を与えるため、ペースト状になるまで粉砕する。粒度は細かいほどよい。粉砕方法は特に問わないが、刃が高速回転し、結晶を細かく砕くのに用いられるカッターミキサーやさらに好ましくは磨り潰す機構を有した摩砕機にて粉砕する。
（７）（６）で得られたペースト状の調味料を炒飯等に適当量添加することで、卵の風味と焦げ風味を付与することが可能である。また炒飯に添加する場合、（１）工程において適当量のネギを投入することで上記風味に加え、ネギの風味も付与することが可能である。（１）工程に投入する食材あるいは調味料は、ペースト状の本発明の調味料を添加する食品の種類により変えることができ、特に限定されるものではない。
【実施例】
【００１０】
卵黄５００ｇと食用油としてサラダ油５００ｇを混合し加熱撹拌釜（ＫＲＳミニ；カジワラ社製）に投入し、６０rpmの撹拌速度で1分間混合する。次に撹拌スピード一定のまま加熱を開始し２００℃に到達するまで加熱する（加熱時間９分）。２００℃に達してから加熱および撹拌をとめ、釜から混合液を取り出す。卵黄の結晶を含む混合液を摩砕機（ＭＫＣＡ６−３；増幸産業社製）にてペースト状になるまで細かく砕く。
【００１１】
上記実施例で調製されたペースト状の調味料（以下、「本発明品」という）を実際に炒飯に配合し、その風味について官能評価を行った。以下に評価方法を示す。）
（１）市販の冷凍炒飯を説明書に従って電子レンジにて解凍調理する。
（２）本発明品を、解凍した炒飯に対して２重量％添加し、十分に混合する。
（３）本発明品を添加したものと、比較のため、本発明品を全く混ぜずに下記の通り比較サンプルを作成する。
比較例１は（１）の手順にて本発明品を全く添加してないもの。
比較例２は（１）にて電子レンジの代わりに、フライパンにて解凍調理する。
（４）本発明品を添加したものと、比較サンプルを１０名の味覚パネルにより、卵の風味および焦げ風味について−（好ましくない）〜＋＋＋（非常に好ましい）の５点評価にて官能評価を実施した。
結果を下表に示す。
【００１２】
2005278530.tif 000002
【００１３】
冷凍炒飯は一般的にレンジ解凍よりもフライパン解凍をすることで卵の風味、焦げ風味をある程度強化することは可能であるが、本発明品を単に電子レンジ解凍品に混ぜることで、フライパン解凍と同等以上の風味を付与することができる。
(57)【要約】  【課題】散髪中や整髪中に、ケープを羽織っていても手元が見えるようにすることによって、書物や雑誌を読むことや、携帯電話やＰＤＡを操作して、メールの読み書きやスケジュールのチェック等ができるようにすること。  【解決手段】本発明においては、ケープの少なくとも一部に透明部分を設けた。前記透明部分は、羽織ったケープの手元部分、即ち、膝の部分に設けた。また、透明部分の大きさは30ｃｍ四方程度とした。【選択図】      図１
2005278962.tif 000002
【特許請求の範囲】
【請求項１】
ケープの少なくとも一部に透明部分を設けたことを特徴とする散髪用ケープ。
【請求項２】
羽織ったケープの手元部分に透明部分を設けたことを特徴とする請求項１に記載の散髪用ケープ。
【請求項３】
前記ケープの１辺に紐を設け、前記透明部分は前記１辺から30ｃｍ〜60ｃｍの範囲に設けたことを特徴とする請求項１または２に記載の散髪用ケープ。
【発明の詳細な説明】
【技術分野】
【０００１】
本発明は、散髪時や整髪時に、刈った毛髪や整髪用の薬品や水等が衣服に付着することを防止するためにマントのように羽織るケープに関するものである。
【背景技術】
【０００２】
従来より、散髪や整髪（以後、まとめて「散髪」という。）をするときに、刈った毛髪や整髪用の薬品や水等が被散髪者や被整髪者（以後、まとめて「被散髪者」という。）の衣服に付着することを防止するために、被散髪者がケープをマントのように羽織ることが行われている。
そして、そのようなケープに関しては種々の提案がされており、例えば、ケープを羽織っていると内側が蒸せるので、涼しくするための提案がされている。（例えば、特許文献１参照）
【０００３】
【特許文献１】特開２００４−１６７７１号公報
【発明の開示】
【発明が解決しようとする課題】
【０００４】
ところが、上述したような何れのケープの場合であっても、散髪をしている時間はじっと椅子に座っていることしかできなかった。多忙を究める現代において、散髪をしている時間に何もできないということは、貴重時間の損失であると言わざるをえない。
何らかの作業は困難であっても、せめて、書物や雑誌を読むことや、携帯電話やＰＤＡを操作して、メールの読み書きやスケジュールのチェック等ができれば、時間を有効に使用することができると思われる。
【０００５】
そこで、本発明は、ケープを羽織っていても手元が見えるようにすることによって、書物や雑誌を読むことや、携帯電話やＰＤＡを操作して、メールの読み書きやスケジュールのチェック等ができるようにすることを目的としてなされたものである。
【課題を解決するための手段】
【０００６】
本発明にかかる散髪用ケープにおいては、ケープの少なくとも一部に透明部分を設けた。
請求項２の発明では、羽織ったケープの手元部分に透明部分を設けた。
請求項３の発明では、前記ケープの１辺に紐を設け、前記透明部分は前記１辺から30ｃｍ〜60ｃｍの範囲に設けた。
【発明の効果】
【０００７】
本発明の散髪用ケープによれば、ケープを羽織っても透明部分を通して手元が見えるので、散髪中であっても、書物や雑誌を読むことや、携帯電話やＰＤＡを操作して、メールの読み書きやスケジュールのチェック等ができる。
従って、散髪中の時間を有効活用することができるという効果が得られる。
【発明を実施するための最良の形態】
【０００８】
以下に、本発明にかかる散髪用ケープを、その実施の形態を示した図面に基づいて詳細に説明する。
本発明の散髪用ケープの正面図を示した図１において、
１は散髪用ケープであり、不透明なシート本体２の上辺には紐３が取り付けられている。前記シート本体２の中央部分には透明なシートによる透明部分４が形成されている。この透明部分４の位置は、例えば、大人用としては、前記紐３の位置から30ｃｍの位置から60ｃｍまでの位置に形成されている。
前記シート本体２の形状は、図示したような形状に限られるものではなく、台形や扇形等、種々の形状が可能である。
前記透明部分４の形状は、図示したような四角形に限られるものではなく、円形や楕円形や多角形等、種々の形状が可能である。また、この透明部分４は柔軟な樹脂製シートが好ましく、その表面は、天井の照明等を反射しにくい材質か、コーティング等によって表面処理を施しておく。
前記紐３の取り付け方は、筒状の通し部に通したり、シート本体２の一部を紐状に形成してもよい。また、ゴム等の弾性素材を利用してもよい。
また、首に巻き付ける前記紐３の部分には、肌触りをよくするための布地等を付設するとよい。
【実施例１】
【０００９】
本実施例においては、羽織ったケープの手元部分、即ち、座った状態での膝の部分に、透明部分を設けるために軟質樹脂製の透明シートを配設した。前記透明部分としては首の部分から30ｃｍ〜60ｃｍの範囲に軟質樹脂製の透明シートを配設して、30ｃｍ四方の透明窓を設けた。
従って、図２に示したように散髪しながら本を読んだり、図３に示したように、散髪しながら携帯電話でメールを打ったり、読んだり、または、種々の検索を行って情報交換や情報収集をすることができる。
なお、ケープ全体を透明シートとしてもよい。
【図面の簡単な説明】
【００１０】
【図１】本発明にかかる散髪用ケープの実施の形態の構成を示した正面図である。
【図２】前記散髪用ケープの使用中の側面断面図である。
【図３】前記散髪用ケープの使用中の側面断面図である。
【符号の説明】
【００１１】
１  散髪用ケープ
２  シート本体
３  紐
４  透明部分
【図１】
2005278962.tif 000003
【図２】
2005278962.tif 000004
【図３】
2005278962.tif 000005
(57)【要約】【課題】磁石と発電側の間に強磁性体の物質を挿んだ発電気である。【解決手段】強磁性体の物質は、磁力線を遮断する力を持っている。それを利用してレンツの法則を弱め、動力が弱くても発電する発電機。【選択図】図１
2005278381.tif 000002
【特許請求の範囲】
【請求項１】
磁石と発電側の間に強磁性体の物質を挿んだ発電機。
【発明の詳細な説明】
【発明の詳細な説明】
この発明は、磁石と発電側の間に強磁性体の物質を挿んで、レンツの法則を弱めた発電機である。
【図面の簡単な説明】
【図１】本発明の断面図である。
【符号の説明】
１．磁石
２．強磁性体の物質
３．発電側
４．コイル
５．メーター
【図１】
2005278381.tif 000003